(57)【特許請求の範囲】
【請求項１】
１つの高段側圧縮機構（２４）と、複数の低段側圧縮機構（２１，２２，２３）のそれぞれとが直列に接続された多段圧縮機構（２）と、
前記低段側圧縮機構の吐出管（１０１ｂ，１０２ｂ,１０３ｂ）に接続され、かつ、冷房運転サイクルと暖房運転サイクルとを切り換える切換機構（３１，３２，３３）と、
前記冷房運転サイクル時において、前記低段側圧縮機構から吐出された冷媒を冷却するインタークーラ（５１，５２，５３）と、
前記切換機構と前記インタークーラとの間に設置され、かつ、前記冷房運転サイクル時において、前記低段側圧縮機構から吐出された冷媒から潤滑油を分離する低段側油分離器（４１，４２，４３）と、
前記多段圧縮機構および前記切換機構を制御する制御部と、
を備え、
前記冷房運転サイクル時において、前記低段側圧縮機構から吐出された冷媒は、他の前記低段側圧縮機構または前記高段側圧縮機構に吸入される前に、前記低段側油分離器および前記インタークーラを通過し、
前記暖房運転サイクル時において、前記低段側圧縮機構から吐出された冷媒は、他の前記低段側圧縮機構または前記高段側圧縮機構に吸入される前に、前記低段側油分離器および前記インタークーラを通過しない、
冷凍装置（１）。
【請求項２】
前記高段側圧縮機構の吐出管（１０４ｂ）に接続され、前記高段側圧縮機構から吐出された冷媒から潤滑油を分離する高段側油分離器（４４）をさらに備える、
請求項１に記載の冷凍装置。
【請求項３】
前記冷房運転サイクル時において、前記低段側油分離器において冷媒から分離された潤滑油を、前記低段側油分離器に接続される前記インタークーラの吐出側に戻す冷房用油戻しライン（１２１ａ，１２２ａ，１２３ａ）と、
前記暖房運転サイクル時において、前記低段側油分離器において冷媒から分離された潤滑油を、前記低段側油分離器の冷媒吐出側に戻す暖房用油戻しライン（１２１ｂ，１２２ｂ，１２３ｂ）と、
をさらに備える、
請求項１または２に記載の冷凍装置。
【請求項４】
前記冷房用油戻しラインは、前記冷房運転サイクル時における潤滑油の流れのみを許容する冷房用逆流防止機構（２２１ａ，２２２ａ，２２３ａ）を有し、
前記暖房用油戻しラインは、前記暖房運転サイクル時における潤滑油の流れのみを許容する暖房用逆流防止機構（２２１ｂ，２２２ｂ，２２３ｂ）を有する、
請求項３に記載の冷凍装置。
【請求項５】
前記低段側圧縮機構は、第１低段側圧縮機構（２１）と、第２低段側圧縮機構（２２）と、第３低段側圧縮機構（２３）とからなり、
前記多段圧縮機構は、前記高段側圧縮機構と、前記第１低段側圧縮機構と、前記第２低段側圧縮機構と、前記第３低段側圧縮機構とが、この順番で直列に接続されている、
請求項１から４のいずれか１項に記載の冷凍装置。
【発明の詳細な説明】
【技術分野】
【０００１】
本発明は、冷凍装置に関する。
【背景技術】
【０００２】
従来、多段圧縮冷凍サイクルを行う冷媒回路を備える冷凍装置であって、インタークーラおよび油分離器が設置された冷凍装置が用いられている。インタークーラは、最上段以外の各段の圧縮機構から吐出された圧縮冷媒を冷却する。油分離器は、冷房運転時において、各段の油上がり量を低減するために、圧縮機構から吐出された圧縮冷媒から潤滑油を分離する。油分離器は、通常、特許文献１（特開２００９−２５７７０４号公報）に開示されるように、圧縮機構の吐出側の配管に取り付けられている。
【発明の概要】
【発明が解決しようとする課題】
【０００３】
しかし、特許文献１（特開２００９−２５７７０４号公報）に記載の冷凍装置では、暖房運転時において、インタークーラは、圧縮冷媒を冷却する目的で使用されない。そのため、暖房運転時において、最上段以外の圧縮機構から吐出された圧縮冷媒は、油分離器によって潤滑油が分離される必要がない。また、圧縮冷媒は、室外に設置されている油分離器を通過する際に、低温の外気に曝されるので放熱する。そのため、油分離器において熱損失が発生する。従って、冷媒回路の暖房能力が低下して、冷凍装置全体の効率が低下する問題が生じてしまう。
【０００４】
本発明の目的は、放熱損失を抑えることができる冷凍装置を提供することである。
【課題を解決するための手段】
【０００５】
本発明の第１観点に係る冷凍装置は、多段圧縮機構と、切換機構と、インタークーラと、低段側油分離器と、制御部とを備える。多段圧縮機構は、１つの高段側圧縮機構と、複数の低段側圧縮機構のそれぞれとが直列に接続されている。切換機構は、低段側圧縮機構の吐出管に接続される。切換機構は、冷房運転サイクルと暖房運転サイクルとを切り換える。インタークーラは、冷房運転サイクル時において、低段側圧縮機構から吐出された冷媒を冷却する。低段側油分離器は、切換機構とインタークーラとの間に設置される。低段側油分離器は、冷房運転サイクル時において、低段側圧縮機構から吐出された冷媒から潤滑油を分離する。制御部は、多段圧縮機構および切換機構を制御する。冷房運転サイクル時において、低段側圧縮機構から吐出された冷媒は、他の低段側圧縮機構または高段側圧縮機構に吸入される前に、低段側油分離器およびインタークーラを通過する。暖房運転サイクル時において、低段側圧縮機構から吐出された冷媒は、他の低段側圧縮機構または高段側圧縮機構に吸入される前に、低段側油分離器およびインタークーラを通過しない。
【０００６】
第１観点に係る冷凍装置は、３以上の圧縮機構が直列に接続された多段圧縮機構を備える。多段圧縮機構は、最上段の圧縮機構である高段側圧縮機構と、高段側圧縮機構以外の圧縮機構である低段側圧縮機構からなる。冷房運転サイクル時において、低段側圧縮機構によって圧縮された冷媒は、四方切換弁等の切換機構を通過して、低段側油分離器に供給される。低段側油分離器によって潤滑油が分離された圧縮冷媒は、インタークーラに供給される。インタークーラで冷却された圧縮冷媒は、より上段の圧縮機構に供給されてさらに圧縮される。すなわち、低段側油分離器は、低段側圧縮機構に接続される切換機構と、インタークーラとの間に設置される。低段側油分離器は、インタークーラに潤滑油が流入して、インタークーラの冷却性能が低下することを抑制する。
【０００７】
多段圧縮機構を備える冷凍装置では、暖房運転サイクル時において、最上段以外の各段の圧縮機構で圧縮された冷媒は、インタークーラで冷却されないので、油分離器によって潤滑油が分離される必要がない。第１観点に係る冷凍装置では、暖房運転サイクル時において、低段側圧縮機構で圧縮された冷媒は、低段側油分離器を通過することなく、切換機構を通過して、より上段の圧縮機構に送られる。すなわち、暖房運転サイクル時において、低段側圧縮機構で圧縮された冷媒が低段側油分離器において低温の外気に放熱して、熱損失が発生することが抑制される。従って、第１観点に係る冷凍装置は、放熱損失を抑えることができる。
【０００８】
本発明の第２観点に係る冷凍装置は、第１観点に係る冷凍装置であって、高段側油分離器をさらに備える。高段側油分離器は、高段側圧縮機構の吐出管に接続される。高段側油分離器は、高段側圧縮機構から吐出された冷媒から潤滑油を分離する。
【０００９】
本発明の第３観点に係る冷凍装置は、第１観点または第２観点に係る冷凍装置であって、冷房用油戻しラインと、暖房用油戻しラインとをさらに備える。冷房用油戻しラインは、低段側油分離器において冷媒から分離された潤滑油を、低段側油分離器に接続されるインタークーラの吐出側に戻す。暖房用油戻しラインは、暖房運転サイクル時において、低段側油分離器において冷媒から分離された潤滑油を、低段側油分離器の冷媒吐出側に戻す。
【００１０】
第３観点に係る冷凍装置は、低段側油分離器において冷媒から分離された潤滑油を戻すための２つの経路を有する。冷房運転サイクル時において、低段側油分離器で分離された潤滑油は、インタークーラをバイパスして、より上段の圧縮機構の吸入側の配管に戻される。暖房運転サイクル時において、低段側油分離器で分離された潤滑油は、潤滑油が分離された冷媒が吐出される低段側油分離器の配管に戻される。従って、第３観点に係る冷凍装置は、油分離器で分離された潤滑油を、適切な冷媒の流れに戻すことができる。
【００１１】
本発明の第４観点に係る冷凍装置は、第３観点に係る冷凍装置であって、冷房用油戻しラインは、冷房運転サイクル時における潤滑油の流れのみを許容する冷房用逆流防止機構を有する。暖房用油戻しラインは、暖房運転サイクル時における潤滑油の流れのみを許容する暖房用逆流防止機構を有する。
【００１２】
本発明の第５観点に係る冷凍装置は、第１観点から第４観点のいずれかに係る冷凍装置であって、低段側圧縮機構は、第１低段側圧縮機構と、第２低段側圧縮機構と、第３低段側圧縮機構とからなる。多段圧縮機構は、高段側圧縮機構と、第１低段側圧縮機構と、第２低段側圧縮機構と、第３低段側圧縮機構とが、この順番で直列に接続されている。すなわち、この冷凍装置は、４段圧縮機構を備える。
【発明の効果】
【００１３】
本発明の第１観点および第２観点に係る冷凍装置は、放熱損失を抑えることができる。
【００１４】
本発明の第３観点および第４観点に係る冷凍装置は、油分離器で分離された潤滑油を、適切な冷媒の流れに戻すことができる。
【００１５】
本発明の第５観点に係る冷凍装置は、４段圧縮機構を備える冷凍装置に適用することができる。
【図面の簡単な説明】
【００１６】
【図１】本発明の実施形態に係る空気調和装置の冷房運転時の概略構成図である。
【図２】図１の第１乃至第３油分離器の周辺の配管を表す図である。
【図３】図１における冷凍サイクルの圧力−エンタルピ線図である。
【図４】本発明の実施形態に係る空気調和装置の暖房運転時の概略構成図である。
【図５】図４の第１乃至第３油分離器の周辺の配管を表す図である。
【図６】図４における冷凍サイクルの圧力−エンタルピ線図である。
【発明を実施するための形態】
【００１７】
本発明の実施形態に係る冷凍装置について、図面を参照しながら説明する。
【００１８】
（１）空気調和装置の構成
図１および図４は、本発明に係る冷凍装置の一実施形態としての空気調和装置１の概略構成図である。空気調和装置１は、超臨界状態の二酸化炭素冷媒を使用して四段圧縮冷凍サイクルを行う冷凍装置である。空気調和装置１は、冷房運転サイクルと暖房運転サイクルとを切換可能に構成された冷媒回路１０を有する。図１は、冷房運転時において冷媒回路１０を循環する冷媒の流れを表す。図４は、暖房運転時において冷媒回路１０を循環する冷媒の流れを表す。図１および図４において、冷媒回路１０の配管に沿って記載されている矢印は、冷媒の流れを表す。
【００１９】
空気調和装置１の冷媒回路１０は、主として、四段圧縮機２、第１切換機構３１、第２切換機構３２、第３切換機構３３、第４切換機構３４、第１油分離器４１、第２油分離器４２、第３油分離器４３、第４油分離器４４、室外熱交換器５、エコノマイザ熱交換器６ａ、液ガス熱交換器６ｂ、膨張機構７、レシーバ８、過冷却熱交換器６ｃ、室内熱交換器９および制御部（図示せず）からなる。次に、冷媒回路１０の各構成要素を詳細に説明する。
【００２０】
（１−１）四段圧縮機
四段圧縮機２は、密閉容器内に、第１圧縮機構２１、第２圧縮機構２２、第３圧縮機構２３、第４圧縮機構２４、圧縮機駆動モータ（図示せず）、および、駆動軸（図示せず）が収容された密閉式圧縮機である。圧縮機駆動モータは、駆動軸に連結されている。駆動軸は、４つの圧縮機構２１〜２４に連結されている。すなわち、四段圧縮機２は、４つの圧縮機構２１〜２４が単一の駆動軸に連結されている一軸四段圧縮構造を有している。四段圧縮機２では、第１圧縮機構２１、第２圧縮機構２２、第３圧縮機構２３および第４圧縮機構２４は、この順番で直列に接続されている。第１圧縮機構２１は、第１吸入管１０１ａおよび第１吐出管１０１ｂに接続されている。第２圧縮機構２２は、第２吸入管１０２ａおよび第２吐出管１０２ｂに接続されている。第３圧縮機構２３は、第３吸入管１０３ａおよび第３吐出管１０３ｂに接続されている。第４圧縮機構２４は、第４吸入管１０４ａおよび第４吐出管１０４ｂに接続されている。
【００２１】
第１圧縮機構２１は、最下段の圧縮機構であり、冷媒回路１０を流れる最も低圧の冷媒を圧縮する。第２圧縮機構２２は、第１圧縮機構２１によって圧縮された冷媒を圧縮する。第３圧縮機構２３は、第２圧縮機構２２によって圧縮された冷媒を圧縮する。第４圧縮機構２４は、最上段の圧縮機構であり、第３圧縮機構２３によって圧縮された冷媒を圧縮する。第４圧縮機構２４によって圧縮された冷媒は、冷媒回路１０を流れる最も高圧の冷媒である。
【００２２】
なお、本実施形態において、各圧縮機構２１〜２４は、ロータリー式の圧縮機構である。また、圧縮機駆動モータは、制御部に接続されている。すなわち、各圧縮機構２１〜２４は、制御部によって運転速度等が制御される。
【００２３】
（１−２）第１乃至第４切換機構
第１切換機構３１は、第１吐出管１０１ｂ、第２吸入管１０２ａ、第１油分離管１１１および低圧冷媒管１６１と接続されている。第２切換機構３２は、第２吐出管１０２ｂ、第３吸入管１０３ａ、第２油分離管１１２および低圧冷媒管１６１と接続されている。第３切換機構３３は、第３吐出管１０３ｂ、第４吸入管１０４ａ、第３油分離管１１３および低圧冷媒管１６１と接続されている。第４切換機構３４は、第４吐出管１０４ｂ、ガスクーラ管１３４、第２室内熱交管１９２および低圧冷媒管１６１と接続されている。
【００２４】
第１切換機構３１、第２切換機構３２、第３切換機構３３および第４切換機構３４は、冷媒回路１０内における冷媒の流れの方向を切り換えて、冷房運転サイクルと暖房運転サイクルとを切り換えるための四路切換弁である。切換機構３１〜３４は、冷房運転時において、四段圧縮機２によって圧縮された冷媒の冷却器として室外熱交換器５を機能させ、かつ、膨張機構７を通過して膨張した冷媒の加熱器として室内熱交換器９を機能させる。切換機構３１〜３４は、暖房運転時において、四段圧縮機２によって圧縮された冷媒の冷却器として室内熱交換器９を機能させ、かつ、膨張機構７を通過して膨張した冷媒の加熱器として室外熱交換器５を機能させる。
【００２５】
すなわち、切換機構３１〜３４は、冷媒回路１０の構成要素として四段圧縮機２、室外熱交換器５、膨張機構７および室内熱交換器９のみに着目すると、四段圧縮機２、室外熱交換器５、膨張機構７、室内熱交換器９の順に冷媒を循環させる冷房運転サイクルと、四段圧縮機２、室内熱交換器９、膨張機構７、室外熱交換器５の順に冷媒を循環させる暖房運転サイクルとを切り換える。
【００２６】
（１−３）第１乃至第４油分離器
第１油分離器４１、第２油分離器４２、第３油分離器４３および第４油分離器４４は、冷媒回路１０を循環する冷媒に含まれる潤滑油を分離する機構である。潤滑油は、四段圧縮機２の摺動部等を潤滑するために使用される冷凍機油である。潤滑油を含む冷媒が室外熱交換器５および室内熱交換器９に流入して蓄積されると、冷媒の加熱および冷却の効率が低下して、空気調和装置１の性能が低下する。油分離器４１〜４４は、冷媒から分離した潤滑油を適宜に冷媒回路１０に戻す。
【００２７】
図２は、冷房運転サイクルを表す図１に示される第１油分離器４１、第２油分離器４２および第３油分離器４３の周辺の配管を表す図である。図５は、暖房運転サイクルを表す図４に示される第１油分離器４１、第２油分離器４２および第３油分離器４３の周辺の配管を表す図である。図２および図５において、冷媒回路１０の配管に沿って記載されている矢印は、冷媒の流れを表す。以下、図２および図５を参照しながら説明する。
【００２８】
第１油分離器４１は、第１油分離管１１１に取り付けられ、第１油戻し管１２１に接続されている。第１油分離器４１は、第１油分離管１１１を流れる冷媒から潤滑油を分離して、分離した潤滑油を第１油戻し管１２１に供給する。第１油戻し管１２１は、第１冷房用油戻し管１２１ａと、第１暖房用油戻し管１２１ｂとに分岐している。第１冷房用油戻し管１２１ａは、第１冷房用逆流防止弁２２１ａが取り付けられ、第１インタークーラ管１３１に接続されている。第１暖房用油戻し管１２１ｂは、第１暖房用逆流防止弁２２１ｂが取り付けられ、第１切換機構３１と第１油分離器４１とを接続する第１油分離管１１１に接続されている。
【００２９】
第２油分離器４２は、第２油分離管１１２に取り付けられ、第２油戻し管１２２に接続されている。第２油分離器４２は、第２油分離管１１２を流れる冷媒から潤滑油を分離して、分離した潤滑油を第２油戻し管１２２に供給する。第２油戻し管１２２は、第２冷房用油戻し管１２２ａと、第２暖房用油戻し管１２２ｂとに分岐している。第２冷房用油戻し管１２２ａは、第２冷房用逆流防止弁２２２ａが取り付けられ、第２インタークーラ管１３２に接続されている。第２暖房用油戻し管１２２ｂは、第２暖房用逆流防止弁２２２ｂが取り付けられ、第２切換機構３２と第２油分離器４２とを接続する第２油分離管１１２に接続されている。
【００３０】
第３油分離器４３は、第３油分離管１１３に取り付けられ、第３油戻し管１２３に接続されている。第３油分離器４３は、第３油分離管１１３を流れる冷媒から潤滑油を分離して、分離した潤滑油を第３油戻し管１２３に供給する。第３油戻し管１２３は、第３冷房用油戻し管１２３ａと、第３暖房用油戻し管１２３ｂとに分岐している。第３冷房用油戻し管１２３ａは、第３冷房用逆流防止弁２２３ａが取り付けられ、第３インタークーラ管１３３に接続されている。第３暖房用油戻し管１２３ｂは、第３暖房用逆流防止弁２２３ｂが取り付けられ、第３切換機構３３と第３油分離器４３とを接続する第３油分離管１１３に接続されている。
【００３１】
第４油分離器４４は、第４吐出管１０４ｂに取り付けられ、第４油戻し管１２４に接続されている。第４油分離器４４は、第４吐出管１０４ｂを流れる冷媒から潤滑油を分離して、分離した潤滑油を第４油戻し管１２４に供給し、潤滑油が分離された冷媒を第４切換機構３４に送る。第４油戻し管１２４は、第１吸入管１０１ａに接続されている。
【００３２】
なお、第１冷房用逆流防止弁２２１ａ、第２冷房用逆流防止弁２２２ａおよび第３冷房用逆流防止弁２２３ａは、冷房運転時における潤滑油の通過のみを許容する逆流防止機構である。第１暖房用逆流防止弁２２１ｂ、第２暖房用逆流防止弁２２２ｂおよび第３暖房用逆流防止弁２２３ｂは、暖房運転時における潤滑油の通過のみを許容する逆流防止機構である。
【００３３】
（１−４）室外熱交換器
室外熱交換器５は、第１インタークーラ５１、第２インタークーラ５２、第３インタークーラ５３およびガスクーラ５４から構成されている。室外熱交換器５は、冷房運転時において冷媒の冷却器として機能し、暖房運転時において冷媒の加熱器として機能する。室外熱交換器５は、内部を流れる冷媒と熱交換を行う媒体としての水および空気等が供給される。
【００３４】
第１インタークーラ５１は、第１油分離管１１１および第１インタークーラ管１３１に接続されている。第２インタークーラ５２は、第２油分離管１１２および第２インタークーラ管１３２に接続されている。第３インタークーラ５３は、第３油分離管１１３および第３インタークーラ管１３３に接続されている。ガスクーラ５４は、ガスクーラ管１３４と、高圧冷媒管１４１に連通する冷媒回路１０内の配管とに接続されている。
【００３５】
（１−５）エコノマイザ熱交換器
エコノマイザ熱交換器６ａは、高圧冷媒管１４１および第１中間圧冷媒管１５１に接続されている。第１中間圧冷媒管１５１は、高圧冷媒管１４１から分岐し、第１膨張弁１７１が取り付けられている。エコノマイザ熱交換器６ａは、高圧冷媒管１４１を流れる高圧の冷媒と、第１膨張弁１７１を通過して第１中間圧冷媒管１５１を流れる中間圧の冷媒との間で熱交換を行う。
【００３６】
（１−６）液ガス熱交換器
液ガス熱交換器６ｂは、高圧冷媒管１４１および低圧冷媒管１６１に接続されている。液ガス熱交換器６ｂは、エコノマイザ熱交換器６ａを通過して高圧冷媒管１４１を流れる高圧の冷媒と、膨張機構７等を通過して低圧冷媒管１６１を流れる低圧の冷媒との間で熱交換を行う。
【００３７】
（１−７）膨張機構
膨張機構７は、液ガス熱交換器６ｂを通過した高圧冷媒管１４１を流れる高圧の冷媒を減圧して、気液二相状態の中間圧の冷媒を第２中間圧冷媒管１５２に供給する。第２中間圧冷媒管１５２を流れる中間圧の冷媒は、レシーバ８に送られる。膨張機構７は、第２膨張弁１７２および膨張機７１から構成される。
【００３８】
（１−８）レシーバ
レシーバ８は、膨張機構７から第２中間圧冷媒管１５２を介して送られた気液二相状態の中間圧の冷媒を、液冷媒とガス冷媒とに分離する。分離されたガス冷媒は、第３膨張弁１７３を通過して低圧のガス冷媒となり、低圧冷媒管１６１に供給され、過冷却熱交換器６ｃに送られる。分離された液冷媒は、第３中間圧冷媒管１５３に供給され、過冷却熱交換器６ｃに送られる。
【００３９】
（１−９）過冷却熱交換器
過冷却熱交換器６ｃは、第３中間圧冷媒管１５３を流れる中間圧の冷媒と、低圧冷媒管１６１を流れる低圧の冷媒との間で熱交換を行う。第３中間圧冷媒管１５３は、途中で分岐して第４膨張弁１７４を介して低圧冷媒管１６１に接続される。すなわち、第３中間圧冷媒管１５３を流れる中間圧の冷媒の一部は、第４膨張弁１７４を通過して低圧の冷媒となり、低圧冷媒管１６１に供給され、過冷却熱交換器６ｃに送られる。
【００４０】
（１−１０）室内熱交換器
室内熱交換器９は、複数の室内熱交換ユニット９ａ，９ｂ，・・・から構成されている。室内熱交換器９は、冷房運転時において冷媒の加熱器として機能し、暖房運転時において冷媒の冷却器として機能する。室内熱交換器９は、内部を流れる冷媒と熱交換を行う媒体としての水および空気等が供給される。
【００４１】
各室内熱交換ユニット９ａ，９ｂ，・・・は、第１室内熱交管１９１および第２室内熱交管１９２に接続されている。各室内熱交換ユニット９ａ，９ｂ，・・・に接続される第１室内熱交管１９１の分流管には、それぞれ、第５膨張弁１７５が取り付けられている。冷房運転時において、第１室内熱交管１９１は、第３中間圧冷媒管１５３と連通し、第２室内熱交管１９２は、第４切換機構３４を介して低圧冷媒管１６１と連通する。暖房運転時において、第１室内熱交管１９１は、高圧冷媒管１４１と連通し、第２室内熱交管１９２は、第４切換機構３４を介して第４吐出管１０４ｂと連通する。
【００４２】
（１−１１）制御部
制御部は、四段圧縮機２を構成する４つの圧縮機構２１〜２４に連結されている駆動軸を駆動する圧縮機駆動モータ、および、切換機構３１〜３４に接続されるマイクロコンピュータである。制御部は、外部から入力された情報に基づいて、圧縮機構２１〜２４の運転速度、および、冷房運転サイクルと暖房運転サイクルとの切り換え等を制御する。
【００４３】
（２）空気調和装置の動作
空気調和装置１の動作について、図１〜図６を参照しながら説明する。図３は、冷房運転時における冷凍サイクルの圧力−エンタルピ線図（ｐ−ｈ線図）である。図６は、暖房運転時における冷凍サイクルの圧力−エンタルピ線図（ｐ−ｈ線図）である。図３および図６において、上に凸の曲線は、冷媒の飽和液線および乾き飽和蒸気線である。図３および図６において、冷凍サイクル上の英文字が付された点は、それぞれ、図１および図４において同じ英文字で表される点における冷媒の圧力およびエンタルピを表す。例えば、図１の点Ｂにおける冷媒は、図３の点Ｂにおける圧力およびエンタルピを有する。なお、空気調和装置１の冷房運転時および暖房運転時における運転制御は、制御部によって行われる。
【００４４】
（２−１）冷房運転時の動作
冷房運転時では、図１に示される矢印に沿って、四段圧縮機２、室外熱交換器５、膨張機構７、室内熱交換器９の順に冷媒が冷媒回路１０内を循環する。以下、冷房運転時における空気調和装置１の動作について、図１〜３を参照しながら説明する。
【００４５】
最初に、第１吸入管１０１ａ内の低圧の冷媒は、第１圧縮機構２１で圧縮されて、第１吐出管１０１ｂに吐出される（点Ａ，Ｂ）。圧縮された冷媒は、第１切換機構３１を通過した後、第１油分離管１１１を流れて、第１油分離器４１において潤滑油が分離される。潤滑油が分離された冷媒は、第１インタークーラ５１で冷却された後、第１インタークーラ管１３１を介して第２吸入管１０２ａに供給される（点Ｂ，Ｃ）。第１油分離器４１で分離された潤滑油は、図２に示されるように、第１油戻し管１２１および第１冷房用油戻し管１２１ａを経て、第１インタークーラ管１３１を流れる冷媒に合流する。
【００４６】
次に、第２吸入管１０２ａ内の冷媒は、第２圧縮機構２２で圧縮されて、第２吐出管１０２ｂに吐出される（点Ｃ，Ｄ）。圧縮された冷媒は、第２切換機構３２を通過した後、第２油分離管１１２を流れて、第２油分離器４２において潤滑油が分離される。潤滑油が分離された冷媒は、第２インタークーラ５２で冷却された後、第２インタークーラ管１３２に供給される（点Ｄ，Ｅ）。第２インタークーラ管１３２を流れる冷媒は、エコノマイザ熱交換器６ａにおいて熱交換されて第１中間圧冷媒管１５１を流れる中間圧の冷媒と合流した後、第３吸入管１０３ａに供給される（点Ｅ，Ｆ）。第２油分離器４２で分離された潤滑油は、図２に示されるように、第２油戻し管１２２および第２冷房用油戻し管１２２ａを経て、第２インタークーラ管１３２を流れる冷媒に合流する。
【００４７】
次に、第３吸入管１０３ａ内の冷媒は、第３圧縮機構２３で圧縮されて、第３吐出管１０３ｂに吐出される（点Ｆ，Ｇ）。圧縮された冷媒は、第３切換機構３３を通過した後、第３油分離管１１３を流れて、第３油分離器４３において潤滑油が分離される。潤滑油が分離された冷媒は、第３インタークーラ５３で冷却された後、第３インタークーラ管１３３を介して第４吸入管１０４ａに供給される（点Ｇ，Ｈ）。第３油分離器４３で分離された潤滑油は、図２に示されるように、第３油戻し管１２３および第３冷房用油戻し管１２３ａを経て、第３インタークーラ管１３３を流れる冷媒に合流する。
【００４８】
次に、第４吸入管１０４ａ内の冷媒は、第４圧縮機構２４で圧縮されて、第４吐出管１０４ｂに吐出される（点Ｈ，Ｉ）。第４吐出管１０４ｂを流れる高圧の冷媒は、第４油分離器４４において潤滑油が分離される。潤滑油が分離された高圧の冷媒は、第４切換機構３４を通過した後、ガスクーラ管１３４に供給され、ガスクーラ５４に送られる。ガスクーラ５４で冷却された高圧の冷媒は、高圧冷媒管１４１に供給される（点Ｉ，Ｊ）。第４油分離器４４で分離された潤滑油は、第１吸入管１０１ａに戻される。
【００４９】
次に、高圧冷媒管１４１内の冷媒は、エコノマイザ熱交換器６ａおよび液ガス熱交換器６ｂで熱交換された後、膨張機構７を通過して中間圧の冷媒となり、第２中間圧冷媒管１５２を介してレシーバ８に送られる（点Ｊ，Ｍ〜Ｑ）。一方、高圧冷媒管１４１から第１中間圧冷媒管１５１に分流した冷媒は、エコノマイザ熱交換器６ａで熱交換された後、第２インタークーラ管１３２に供給される（点Ｊ〜Ｌ）。レシーバ８に送られた気液二相状態の中間圧の冷媒は、液冷媒とガス冷媒とに分離される（点Ｑ，Ｒ，Ｕ）。
【００５０】
次に、レシーバ８で分離された液冷媒は、第３中間圧冷媒管１５３を流れ、過冷却熱交換器６ｃで熱交換される（点Ｒ，Ｔ）。一方、レシーバ８で分離されたガス冷媒は、第３膨張弁１７３を通過して低圧のガス冷媒となる（点Ｕ，Ｗ）。第３中間圧冷媒管１５３を流れる一部の冷媒も、第４膨張弁１７４を通過して低圧のガス冷媒となる（点Ｒ，Ｓ）。これらの低圧のガス冷媒は、合流した後（点Ｓ，Ｗ，Ｘ）、過冷却熱交換器６ｃで熱交換され、低圧冷媒管１６１に供給される（点Ｘ，Ｙ，ＡＢ）。
【００５１】
次に、過冷却熱交換器６ｃで熱交換された中間圧の冷媒は、第１室内熱交管１９１に供給されて分流した後に、各第５膨張弁１７５を通過して低圧の冷媒となる（点Ｔ，Ｖ）。これらの低圧の冷媒は、室内熱交換器９の各室内熱交換ユニット９ａ，９ｂ，・・・で加熱されて、第２室内熱交管１９２の各分流管に供給される（点Ｖ，Ｚ）。その後、加熱された低圧の冷媒は、合流した後、第４切換機構３４を介して低圧冷媒管１６１に供給される（点Ｚ，ＡＢ）。
【００５２】
最後に、低圧冷媒管１６１を流れる低圧の冷媒は、液ガス熱交換器６ｂで熱交換された後、第１吸入管１０１ａに供給される（点ＡＢ，Ａ）。以上のように冷媒が冷媒回路１０内を循環することにより、空気調和装置１の冷媒回路１０は冷房運転サイクルを行う。
【００５３】
（２−２）暖房運転時の動作
暖房運転時では、図４に示される矢印に沿って、四段圧縮機２、室内熱交換器９、膨張機構７、室外熱交換器５の順に冷媒が冷媒回路１０内を循環する。以下、暖房運転時における空気調和装置１の動作について、図４〜６を参照しながら説明する。
【００５４】
最初に、第１吸入管１０１ａ内の低圧の冷媒は、第１圧縮機構２１で圧縮されて、第１吐出管１０１ｂに吐出される（点Ａ，Ｂ）。圧縮された冷媒は、第１切換機構３１を通過した後、第２吸入管１０２ａに供給される（点Ｂ，Ｃ）。
【００５５】
次に、第２吸入管１０２ａ内の冷媒は、第２圧縮機構２２で圧縮されて、第２吐出管１０２ｂに吐出される（点Ｃ，Ｄ）。圧縮された冷媒は、第２切換機構３２を通過した後、第３吸入管１０３ａに供給される（点Ｄ，Ｆ）。第３吸入管１０３ａを流れる冷媒は、エコノマイザ熱交換器６ａにおいて熱交換されて第１中間圧冷媒管１５１および第２インタークーラ管１３２を流れる中間圧の冷媒と合流する。
【００５６】
次に、第３吸入管１０３ａ内の冷媒は、第３圧縮機構２３で圧縮されて、第３吐出管１０３ｂに吐出される（点Ｆ，Ｇ）。圧縮された冷媒は、第３切換機構３３を通過した後、第４吸入管１０４ａに供給される（点Ｇ，Ｈ）。
【００５７】
次に、第４吸入管１０４ａ内の冷媒は、第４圧縮機構２４で圧縮されて、第４吐出管１０４ｂに吐出される（点Ｈ，Ｉ）。第４吐出管１０４ｂを流れる高圧の冷媒は、第４油分離器４４において潤滑油が分離される。潤滑油が分離された高圧の冷媒は、第４切換機構３４を通過した後、第２室内熱交管１９２の各分流管に供給される（点Ｉ，Ｚ）。第４油分離器４４で分離された潤滑油は、第１吸入管１０１ａに戻される。
【００５８】
次に、第２室内熱交管１９２の各分流管内の高圧の冷媒は、室内熱交換器９の各室内熱交換ユニット９ａ，９ｂ，・・・で冷却される（点Ｚ，Ｖ）。冷却された高圧の冷媒は、第１室内熱交管１９１の各分流管において第５膨張弁１７５を通過してわずかに減圧された後、合流して、高圧冷媒管１４１に供給される（点Ｖ，Ｊ）。
【００５９】
次に、高圧冷媒管１４１内の冷媒は、エコノマイザ熱交換器６ａおよび液ガス熱交換器６ｂで熱交換された後、膨張機構７を通過して中間圧の冷媒となり、第２中間圧冷媒管１５２を介してレシーバ８に送られる（点Ｊ，Ｍ〜Ｑ）。一方、高圧冷媒管１４１から第１中間圧冷媒管１５１に分流した冷媒は、エコノマイザ熱交換器６ａで熱交換された後、第２インタークーラ管１３２を介して第３吸入管１０３ａに供給される（点Ｊ〜Ｌ）。レシーバ８に送られた気液二相状態の中間圧の冷媒は、液冷媒とガス冷媒とに分離される（点Ｑ，Ｒ，Ｕ）。
【００６０】
次に、レシーバ８で分離された液冷媒は、第３中間圧冷媒管１５３を流れ、過冷却熱交換器６ｃで熱交換される（点Ｒ，Ｔ）。一方、レシーバ８で分離されたガス冷媒は、第３膨張弁１７３を通過して低圧のガス冷媒となる（点Ｕ，Ｗ）。第３中間圧冷媒管１５３を流れる一部の冷媒も、第４膨張弁１７４を通過して低圧のガス冷媒となる（点Ｒ，Ｓ）。これらの低圧のガス冷媒は、合流した後（点Ｓ，Ｗ，Ｘ）、過冷却熱交換器６ｃで熱交換され、低圧冷媒管１６１に供給される（点Ｘ，Ｙ，ＡＢ）。
【００６１】
次に、過冷却熱交換器６ｃで熱交換された中間圧の冷媒は、図４に示されるように、第６膨張弁１７６を通過して低圧の冷媒となる（点Ｔ，ＡＣ）。低圧の冷媒は、分流器８１を通過して４本の冷媒流路に分流する。４本の冷媒流は、それぞれ、第１インタークーラ５１、第２インタークーラ５２、第３インタークーラ５３およびガスクーラ５４を通過する。ガスクーラ５４を通過した低圧の冷媒は、第４切換機構３４を通過して、低圧冷媒管１６１に供給される（点ＡＣ，ＡＤ）。一方、第１インタークーラ５１、第２インタークーラ５２、第３インタークーラ５３を通過した低圧の冷媒は、それぞれ、第１油分離管１１１、第２油分離管１１２および第３油分離管１１３に供給される。第１油分離管１１１内の低圧の冷媒は、第１油分離器４１において潤滑油が分離された後、第１切換機構３１を通過して、低圧冷媒管１６１に供給される（点ＡＣ，ＡＤ）。第１油分離器４１で分離された潤滑油は、図５に示されるように、第１油戻し管１２１および第１暖房用油戻し管１２１ｂを経て、再び第１油分離管１１１に合流する。同様に、第２油分離管１１２内の低圧の冷媒は、第２油分離器４２において潤滑油が分離された後、第２切換機構３２を通過して、低圧冷媒管１６１に供給される（点ＡＣ，ＡＤ）。第２油分離器４２で分離された潤滑油は、図５に示されるように、第２油戻し管１２２および第１暖房用油戻し管１２２ｂを経て、再び第２油分離管１１２に合流する。同様に、第３油分離管１１３内の低圧の冷媒は、第３油分離器４３において潤滑油が分離された後、第３切換機構３３を通過して、低圧冷媒管１６１に供給される（点ＡＣ，ＡＤ）。第３油分離器４３で分離された潤滑油は、図５に示されるように、第３油戻し管１２３および第３暖房用油戻し管１２３ｂを経て、再び第３油分離管１１３に合流する。各切換機構３１〜３４を通過した低圧の冷媒は、過冷却熱交換器６ｃで熱交換された低圧の冷媒と合流する（点ＡＤ，ＡＢ）。
【００６２】
最後に、低圧冷媒管１６１を流れる低圧の冷媒は、液ガス熱交換器６ｂで熱交換された後、第１吸入管１０１ａに供給される（点ＡＢ，Ａ）。以上のように冷媒が冷媒回路１０内を循環することにより、空気調和装置１の冷媒回路１０は暖房運転サイクルを行う。
【００６３】
（３）空気調和装置の特徴
本実施形態に係る空気調和装置１の冷媒回路１０において、第１油分離器４１は、第１切換機構３１と第１インタークーラ５１との間に設置され、第２油分離器４２は、第２切換機構３２と第２インタークーラ５２との間に設置され、第３油分離器４３は、第３切換機構３３と第３インタークーラ５３との間に設置されている。
【００６４】
本実施形態では、冷房運転時において、第１圧縮機構２１によって圧縮された冷媒は、第１切換機構３１を通過した後に、第１油分離器４１において潤滑油が分離される。同様に、第２圧縮機構２２によって圧縮された冷媒は、第２切換機構３２を通過した後に、第２油分離器４２において潤滑油が分離される。同様に、第３圧縮機構２３によって圧縮された冷媒は、第３切換機構３３を通過した後に、第３油分離器４３において潤滑油が分離される。冷房運転時では、第１圧縮機構２１、第２圧縮機構２２および第３圧縮機構２３によって圧縮された冷媒は、それぞれ、第１インタークーラ５１、第２インタークーラ５２および第３インタークーラ５３を通過して冷却される。すなわち、第１インタークーラ５１、第２インタークーラ５２および第３インタークーラ５３における冷媒の冷却効率の低下を抑制するために、第１油分離器４１、第２油分離器４２および第３油分離器４３において、圧縮冷媒に含まれる潤滑油が分離される。第１油分離器４１、第２油分離器４２および第３油分離器４３によって分離された潤滑油は、それぞれ、第１インタークーラ５１、第２インタークーラ５２および第３インタークーラ５３を通過した冷媒と合流する。
【００６５】
本実施形態では、暖房運転時において、第１圧縮機構２１によって圧縮された冷媒は、冷却されることなく、第２圧縮機構２２に送られる。第２圧縮機構２２によって圧縮された冷媒は、エコノマイザ熱交換器６ａから供給される中間圧の冷媒と合流して冷却された後、第３圧縮機構２３に送られる。第３圧縮機構２３によって圧縮された冷媒は、冷却されることなく、第４圧縮機構２４に送られる。そして、第４圧縮機構２４によって圧縮された冷媒は、第４油分離器４４において潤滑油が分離された後、室内熱交換器９で冷却される。このように、暖房運転時において、第１圧縮機構２１、第２圧縮機構２２および第３圧縮機構２３によって圧縮された冷媒は、それぞれ、第１インタークーラ５１、第２インタークーラ５２および第３インタークーラ５３において冷却されない。そのため、冷房運転時の場合と異なり、暖房運転時においては、第１圧縮機構２１、第２圧縮機構２２および第３圧縮機構２３によって圧縮された冷媒から潤滑油を分離する必要がない。
【００６６】
本実施形態では、暖房運転時において、第１圧縮機構２１、第２圧縮機構２２および第３圧縮機構２３によって圧縮された冷媒は、それぞれ、第１油分離器４１、第２油分離器４２および第３油分離器４３を通過することなく、より上段の圧縮機構に送られる。そのため、空気調和装置１の室外機の内部に設置される第１油分離器４１、第２油分離器４２および第３油分離器４３において、第１圧縮機構２１、第２圧縮機構２２および第３圧縮機構２３によって圧縮された冷媒が放熱することがない。
【００６７】
ここで、比較例としての空気調和装置１であって、第１油分離器４１、第２油分離器４２および第３油分離器４３が、それぞれ、第１圧縮機構２１と第１切換機構３１との間、第２圧縮機構２２と第２切換機構３２との間および第３圧縮機構２３と第３切換機構３３との間に設置されている空気調和装置を考える。この空気調和装置の冷媒回路１０では、暖房運転時においても、第１圧縮機構２１、第２圧縮機構２２および第３圧縮機構２３によって圧縮された冷媒は、それぞれ、第１油分離器４１、第２油分離器４２および第３油分離器４３を通過する。このとき、圧縮冷媒は低温の外気に曝されるので、冷媒の放熱による熱損失が発生してしまう。
【００６８】
従って、本実施形態に係る空気調和装置１では、最上段以外の各段の圧縮機構２１〜２３で圧縮された冷媒は、油分離器４１〜４３を通過することなく、より上段の圧縮機構２２〜２４に送られるので、暖房運転時における放熱損失を抑えることができる。これにより、空気調和装置１の運転効率を向上させることができる。
【００６９】
（４）変形例
（４−１）変形例Ａ
本実施形態では、空気調和装置１の冷媒回路１０は、第１圧縮機構２１、第２圧縮機構２２、第３圧縮機構２３および第４圧縮機構２４が直列に接続された四段圧縮機２を備えている。しかし、冷媒回路１０は、四段圧縮機２の代わりに、２つ以上の圧縮機構が直列に接続された構成を有する多段圧縮機を備えていればよい。本変形例においても、暖房運転時において、多段圧縮機の最上段の圧縮機構を除く圧縮機構によって圧縮された冷媒は、油分離器を通過することなく、より上段の圧縮機構に送られる。これにより、暖房運転時における放熱損失を抑えることができる。
【００７０】
（４−２）変形例Ｂ
本実施形態では、空気調和装置１の四段圧縮機２を構成する第１圧縮機構２１、第２圧縮機構２２、第３圧縮機構２３および第４圧縮機構２４は、ロータリー式の圧縮機構であるが、例えば、スクロール式の圧縮機構であってもよい。
【００７１】
（４−３）変形例Ｃ
本実施形態では、切換機構３１〜３４は、四路切換弁であるが、例えば、複数の電磁弁を組み合わせることによって冷房運転サイクルと暖房運転サイクルとを切り換える機能を有する機構であってもよい。
【００７２】
（４−４）変形例Ｄ
本実施形態では、空気調和装置１の冷媒回路１０は、二酸化炭素冷媒を用いるが、他の冷媒が用いられてもよい。
【産業上の利用可能性】
【００７３】
本発明に係る冷凍装置は、放熱損失を抑えることができる。
【符号の説明】
【００７４】
１      空気調和装置（冷凍装置）
２      四段圧縮機（多段圧縮機構）
２１      第１圧縮機構（低段側圧縮機構、第１低段側圧縮機構）
２２      第２圧縮機構（低段側圧縮機構、第２低段側圧縮機構）
２３      第３圧縮機構（低段側圧縮機構、第３低段側圧縮機構）
２４      第４圧縮機構（高段側圧縮機構）
３１      第１切換機構（切換機構）
３２      第２切換機構（切換機構）
３３      第３切換機構（切換機構）
４１      第１油分離器（低段側油分離器）
４２      第２油分離器（低段側油分離器）
４３      第３油分離器（低段側油分離器）
４４      第４油分離器（高段側油分離器）
５１      第１インタークーラ（インタークーラ）
５２      第２インタークーラ（インタークーラ）
５３      第３インタークーラ（インタークーラ）
１０１ｂ    第１吐出管（吐出管）
１０２ｂ    第２吐出管（吐出管）
１０３ｂ    第３吐出管（吐出管）
１０４ｂ    第４吐出管（吐出管）
１２１ａ    第１冷房用油戻し管（冷房用油戻しライン）
１２１ｂ    第１暖房用油戻し管（暖房用油戻しライン）
１２２ａ    第２冷房用油戻し管（冷房用油戻しライン）
１２２ｂ    第２暖房用油戻し管（暖房用油戻しライン）
１２３ａ    第３冷房用油戻し管（冷房用油戻しライン）
１２３ｂ    第３暖房用油戻し管（暖房用油戻しライン）
２２１ａ    第１冷房用逆流防止弁（冷房用逆流防止機構）
２２１ｂ    第１暖房用逆流防止弁（暖房用逆流防止機構）
２２２ａ    第２冷房用逆流防止弁（冷房用逆流防止機構）
２２２ｂ    第２暖房用逆流防止弁（暖房用逆流防止機構）
２２３ａ    第３冷房用逆流防止弁（冷房用逆流防止機構）
２２３ｂ    第３暖房用逆流防止弁（暖房用逆流防止機構）
【先行技術文献】
【特許文献】
【００７５】
【特許文献１】特開２００９−２５７７０４号公報
【図１】
0005403047.tif 000002
【図２】
0005403047.tif 000003
【図３】
0005403047.tif 000004
【図４】
0005403047.tif 000005
【図５】
0005403047.tif 000006
【図６】
0005403047.tif 000007